(57)【要約】【課題】レンズが破損したりヨロイがレンズから外れたりしにくく、かつ安価に製造できる縁なし眼鏡を提供する。【解決手段】各レンズ１の外側部に、その前面に開口する非貫通のねじ挿入穴１ａと、側面に開口してねじ挿入穴１ａに連通する取付穴１ｂとを設け、ヨロイ４にはレンズ１の取付穴１ｂに差し込まれる取付片８を設け、その取付穴１ｂに差し込んだヨロイ４の取付片８に、レンズ１のねじ挿入穴１ａに挿入したねじ１０の脚部１０ａをねじ結合するようにした。この構成によれば、ねじ挿入穴１ａがレンズ１を貫通していないのでレンズ１が破損しにくいし、そのねじ挿入穴１ａに挿入したねじ１０をヨロイ４とねじ結合しているため、ヨロイ４がレンズ１から脱落しにくい。しかも、部品点数が少なく、かつヨロイ４の形状も成形しやすいものなので、安価に製造することができる。【選択図】図３
2014134717.tif 000002
【特許請求の範囲】
【請求項１】
左右一対のレンズと、これらの両レンズの内側部の間に架設されるブリッジと、各レンズの外側部に取り付けられるヨロイと、このヨロイに連結されるテンプルとを備えた縁なし眼鏡において、
前記各レンズの外側部に、その前面または後面に開口する非貫通のねじ挿入穴と、側面に開口して前記ねじ挿入穴に連通する取付穴とを設け、前記ヨロイに前記レンズの取付穴に差し込まれる取付片を設け、前記取付穴に差し込んだヨロイの取付片に、前記レンズのねじ挿入穴に挿入したねじの脚部をねじ結合したことを特徴とする縁なし眼鏡。
【請求項２】
左右一対のレンズと、これらの両レンズの内側部の間に架設されるブリッジと、各レンズの外側部に取り付けられるヨロイと、このヨロイに連結されるテンプルとを備えた縁なし眼鏡において、
前記各レンズの内側部に、その前面または後面に開口する非貫通のねじ挿入穴と、側面に開口して前記ねじ挿入穴に連通する取付穴とを設け、前記ブリッジに前記レンズの取付穴に差し込まれる取付片を設け、前記取付穴に差し込んだブリッジの取付片に、前記レンズのねじ挿入穴に挿入したねじの脚部をねじ結合したことを特徴とする縁なし眼鏡。
【請求項３】
前記レンズのねじ挿入穴の内壁面に、前記ねじの脚部とねじ結合するめねじを形成したことを特徴とする請求項１または２に記載の縁なし眼鏡。
【発明の詳細な説明】
【技術分野】
【０００１】
本発明は、レンズの周囲にリムが設けられていない縁なし眼鏡に関する。
【背景技術】
【０００２】
縁なし眼鏡は、レンズの周囲にリムが設けられていないので、左右一対のレンズの内側部の間に架設されるブリッジや、各レンズとテンプル（つる）を連結するヨロイ（智）が直接レンズに取り付けられた構造となっている。
【０００３】
縁なし眼鏡のヨロイを直接レンズに取り付けるための一般的な構造は、例えば図６に示すように、レンズ５１の外側部に貫通孔５１ａをあけ、レンズ５１の両面の貫通孔５１ａ縁部に樹脂製のワッシャ５２を配し、テンプル５３と連結されるヨロイ５４に一方のワッシャ５２に重ねられる取付片５５を設け、そのヨロイ５４の取付片５５と各ワッシャ５２とレンズ５１とを貫通するねじ５６の脚部５６ａにナット５７をねじ結合している（特許文献１参照。）。また、図示は省略するが、ブリッジもヨロイと同様の取付構造で直接レンズに取り付けられる。
【０００４】
ところが、上記のようなヨロイやブリッジの取付構造を有する縁なし眼鏡では、レンズの強度が貫通孔の穿設によって低下するため、衝撃や振動等の外力によってレンズが破損しやすい。また、部品点数が多いため、部品管理が煩雑でコストが高くなりやすいという難点もある。
【０００５】
これに対し、特許文献２では、図７に示すように、レンズ６１の外側部の表面に切欠き溝６１ａを設け、テンプル６２と連結されるヨロイ６３にレンズ６１の外側部を挟む一対の取付片６４を設け、そのヨロイ６３の一方の取付片６４をレンズ６１の切欠き溝６１ａに嵌め込み、他方の取付片６４のねじ孔６４ａにねじ６５をねじ込み、このねじ６５の先端でレンズ６１の切欠き溝６１ａのない側の面を押圧することにより、ヨロイ６３をレンズ６１に取り付ける構造が提案されている。また、図示は省略するが、レンズの切欠き溝が設けられる面とねじで押圧される面とを逆にした構造や、ブリッジをヨロイと同様の方法でレンズの内側部に取り付ける構造も提案されている。
【先行技術文献】
【特許文献】
【０００６】
【特許文献１】特開平８−３２７９５３号公報
【特許文献２】特開平１１−１８３８５１号公報
【発明の概要】
【発明が解決しようとする課題】
【０００７】
上記特許文献２に記載された縁なし眼鏡は、ヨロイやブリッジのレンズへの取り付けに特許文献１等にみられる一般的な構造を用いたものと比べると、レンズに貫通孔がないためレンズが破損しにくいし、部品点数が少ない利点がある。
【０００８】
しかしながら、そのヨロイにはレンズ厚以下の狭い間隔で対向する一対の取付片が設けられており、ヨロイ全体の形状が複雑であるため、特にヨロイをチタン等の金属製とする場合は、ヨロイの成形に非常に手間がかかり、一般的な構造のものよりもかえってコストが高くなる。
【０００９】
また、ヨロイはレンズの側方からレンズに組み付けられ、レンズ裏面側の取付片にねじ込まれたねじがレンズの裏面を押圧する力のみで抜け止めされているので、そのねじが少しでもゆるむとレンズから脱落してしまうおそれがある。これに対して、レンズ裏面側の取付片とレンズとの間に粘着材を介装するようにすれば、ヨロイは脱落しにくくなるが、コストがさらに高くなる。
【００１０】
また、ブリッジのレンズへの取付構造についても、上記と同様の問題が生じると考えられる。
【００１１】
そこで、本発明は、レンズが破損したりヨロイやブリッジがレンズから外れたりしにくく、かつ安価に製造できる縁なし眼鏡を提供することを課題とする。
【課題を解決するための手段】
【００１２】
上記の課題を解決するために、本発明は、左右一対のレンズと、これらの両レンズの内側部の間に架設されるブリッジと、各レンズの外側部に取り付けられるヨロイと、このヨロイに連結されるテンプルとを備えた縁なし眼鏡において、前記各レンズの外側部に、その前面または後面に開口する非貫通のねじ挿入穴と、側面に開口して前記ねじ挿入穴に連通する取付穴とを設け、前記ヨロイに前記レンズの取付穴に差し込まれる取付片を設け、前記取付穴に差し込んだヨロイの取付片に、前記レンズのねじ挿入穴に挿入したねじの脚部をねじ結合した構成、あるいは前記各レンズの内側部に、その前面または後面に開口する非貫通のねじ挿入穴と、側面に開口して前記ねじ挿入穴に連通する取付穴とを設け、前記ブリッジに前記レンズの取付穴に差し込まれる取付片を設け、前記取付穴に差し込んだブリッジの取付片に、前記レンズのねじ挿入穴に挿入したねじの脚部をねじ結合した構成を採用したのである。
【００１３】
上記の構成では、レンズのねじ挿入穴がレンズを貫通していないので、一般的な構造のもの（図６参照）に比べてレンズが破損しにくいし、そのねじ挿入穴に挿入したねじの脚部をレンズの取付穴に差し込んだヨロイあるいはブリッジの取付片にねじ結合することによってヨロイやブリッジを抜け止めしているため、そのねじが多少ゆるんでもヨロイやブリッジがレンズから脱落するおそれがなく、脱落防止用の粘着材等を必要としない。しかも、一般的な構造のものよりも部品点数が少なくなり、かつヨロイやブリッジの形状はレンズを挟む一対の取付片を有するもの（図７参照）のように成形しにくいものとはならないので、安価に製造することができる。
【００１４】
ここで、前記レンズのねじ挿入穴の内壁面に、前記ねじの脚部とねじ結合するめねじを形成すれば、ねじがゆるみにくくなり、より確実にヨロイやブリッジの脱落を防止できるようになる。
【発明の効果】
【００１５】
本発明の縁なし眼鏡は、上述したように、レンズに非貫通のねじ挿入穴とこれに連通する取付穴とを設け、そのねじ挿入穴に挿入したねじの脚部を取付穴に差し込んだヨロイあるいはブリッジの取付片にねじ結合して、ヨロイやブリッジをレンズに取り付けたものであるから、レンズが破損しにくく、またヨロイやブリッジがレンズから脱落しにくく、かつ安価に製造することができる。
【図面の簡単な説明】
【００１６】
【図１】実施形態の縁なし眼鏡の外観斜視図
【図２】ａは図１の要部の正面図、ｂはａのII−II線に沿った断面図
【図３】図１のヨロイ取付構造の分解斜視図
【図４】ヨロイ形状の変形例を示す要部の正面図
【図５】図１のブリッジ取付構造の分解斜視図
【図６】従来の縁なし眼鏡のヨロイ取付構造の一例を示す分解横断面図
【図７】従来の縁なし眼鏡のヨロイ取付構造の他の例を示す分解斜視図
【発明を実施するための形態】
【００１７】
以下、図面に基づき、本発明の実施形態を説明する。この縁なし眼鏡は、図１に示すように、左右一対のプラスチックレンズ１、１と、これらの両レンズ１、１の内側部の間に架設されるブリッジ２と、ブリッジ２に取り付けられるノーズパッド３、３と、各レンズ１の外側部に取り付けられるヨロイ４と、このヨロイ４に連結されるテンプル５と、テンプル５の自由側端部にかぶせられるモダン６とからなる。そのヨロイ４とテンプル５とは蝶番７で連結されている（図２（ｂ）、図３参照）。ブリッジ２、ヨロイ４、テンプル５およびノーズパッド３の取付部はチタン製であり、モダン６およびノーズパッド３の鼻当て部はプラスチック製である。
【００１８】
図２（ａ）、（ｂ）および図３に示すように、前記各レンズ１の外側部には、その前面に開口する非貫通のねじ挿入穴１ａと、側面に開口してねじ挿入穴１ａに連通する取付穴１ｂとが設けられている。また、前記ヨロイ４の前端部には、レンズ１の取付穴１ｂに差し込まれる矩形の薄板状取付片８が設けられ、その取付片８に厚み方向に貫通するねじ孔８ａがあけられている。
【００１９】
そして、レンズ１の取付穴１ｂにヨロイ４の取付片８を差し込んだ後、樹脂製ワッシャ９に通したねじ１０の脚部１０ａをレンズ１のねじ挿入穴１ａに挿入し、ヨロイ４の取付片８のねじ孔８ａにねじ込むことによって、ヨロイ４がレンズ１に取り付けられるようになっている。
【００２０】
なお、上記の例では、ヨロイ４の前端部の幅（上下方向の寸法）よりも取付片８の幅を狭く形成したが、図４に示すように、ヨロイ４の前端部と取付片８の幅を同じにすれば、ヨロイ４がより成形しやすいものとなる。また、取付片の形状は、矩形に限らず、三角形状や半円形状とすることもできる。その場合は、レンズの取付穴も取付片の形状に合わせて変更すればよい。
【００２１】
また、図５に示すように、前記ブリッジ２もヨロイ４と同様の取付構造でレンズ１に取り付けられるようになっている。
【００２２】
すなわち、各レンズ１の内側部に、その前面に開口する非貫通のねじ挿入穴１ｃと、側面に開口してねじ挿入穴１ｃに連通する取付穴１ｄとが設けられ、ブリッジ２の両端部には、レンズ１の取付穴１ｄに差し込まれる矩形の薄板状取付片１１が設けられ、その取付片１１に厚み方向に貫通するねじ孔１１ａがあけられている。そして、レンズ１の取付穴１ｄにブリッジ２の取付片１１を差し込んだ後、樹脂製ワッシャ１２に通したねじ１３の脚部１３ａをレンズ１のねじ挿入穴１ｃに挿入し、ブリッジ２の取付片１１のねじ孔１１ａにねじ込むことにより、ブリッジ２がレンズ１に取り付けられている。
【００２３】
この縁なし眼鏡は、上記のヨロイ４およびブリッジ２のレンズ１への取り付け構造を有しており、レンズ１のねじ挿入穴１ａ、１ｃがレンズ１を貫通していないので、レンズ１が破損しにくい。また、そのねじ挿入穴１ａ、１ｃに挿入したねじ１０、１３をレンズ１の取付穴１ｂ、１ｄに差し込んだヨロイ４およびブリッジ２の取付片８、１１とねじ結合しているため、そのねじ１０、１３が多少ゆるんでもヨロイ４やブリッジ２がレンズ１から脱落するおそれがなく、脱落防止用の粘着材等を必要としない。しかも、部品点数が少なく、かつヨロイ４やブリッジ２の形状も成形しやすいものなので、安価に製造することができる。
【００２４】
なお、上述した実施形態では、レンズ１の前面からねじ１０、１３を挿入するようにねじ挿入穴１ａ、１ｃを設けたが、ねじ挿入穴をレンズの後面に開口するように設けて、レンズ後面からねじを挿入するようにしてもよい。
【００２５】
また、レンズのねじ挿入穴は、実施形態のように単にねじを通すものとするほか、内壁面にねじの脚部とねじ結合するめねじを形成したものとすることもできる。このようにすれば、ねじがゆるみにくくなり、より確実にヨロイやブリッジの脱落を防止できるようになる。
【００２６】
また、実施形態でチタン製とした部位の材質をプラスチック等に変更することも、もちろん可能である。
【符号の説明】
【００２７】
１  レンズ
１ａ、１ｃ  ねじ挿入穴
１ｂ、１ｄ  取付穴
２  ブリッジ
３  ノーズパッド
４  ヨロイ
５  テンプル
８、１１  取付片
８ａ、１１ａ  ねじ孔
９、１２  ワッシャ
１０、１３  ねじ
１０ａ、１３ａ  脚部
【図１】
2014134717.tif 000003
【図２】
2014134717.tif 000004
【図３】
2014134717.tif 000005
【図４】
2014134717.tif 000006
【図５】
2014134717.tif 000007
【図６】
2014134717.tif 000008
【図７】
2014134717.tif 000009